(57)【要約】【課題】工事状況の情報位置が現場写真の一箇所に制約されることなく、いずれの位置でも迅速、容易に対応できるようにすると共に撮影現場の照明が同時に得られるようにする。【解決手段】内部に電源となる乾電池３が出し入れ自在に収納された上下に長い収納部本体５と、前記収納部本体５の上部に設けられ前方を照らす光源部７を有するヘッド部９と、前記ヘッド部９の後側に装着支持されたボード１１と、前記ボード１１に取付けられ各種工事仕様情報が記載された現場撮影記録表１３とで構成し、一方の手に持ったカメラのファインダーを覗きながら、もう片方の手に持った現場撮影記録表１３が邪魔にならない最適な位置に収まるよう位置決めするように使用する。【選択図】図１
2010191052.tif 000002
【特許請求の範囲】
【請求項１】
内部に電源となる乾電池が出し入れ自在に収納された上下に長い収納部本体と、
前記収納部本体の上部に設けられ前方を照らす光源部を有するヘッド部と、
前記ヘッド部の後側に装着支持されたボードと、
前記ボードに取付けられ各種工事仕様情報が記載された現場撮影記録表とを備えていることを特徴とする工事現場撮影用看板。
【請求項２】
前記ヘッド部は、ボードを背にして前方及び後方を照らす左右対称の配置構造となっていることを特徴とする請求項１記載の工事現場撮影用看板。
【請求項３】
前記ボードは、表面となる第１のボード面と裏面となる第２のボード面とからなることを特徴とする請求項１又は２のいずれかに記載の工事現場撮影用看板。
【請求項４】
前記ボードは、ヘッド部に対して着脱自在に支持されていることを特徴とする請求項１、２、３のいずれかに記載の工事現場撮影用看板。
【請求項５】
前記ヘッド部は、前方を照らす光源部の外に、前記現場撮影記録表を照らす記録表光源部を有していることを特徴とする請求項１又は２のいずれかに記載の工事現場撮影用看板。
【発明の詳細な説明】
【技術分野】
【０００１】
本発明は工事現場において各種工事状況を撮影記録する際に使用する工事現場撮影用看板に関する。
【背景技術】
【０００２】
一般に工事現場において各種工事状況を撮影記録する際に看板が使用される。
【０００３】
具体的には、各種工事状況を記載した黒板を工事現場にセットし、黒板と工事現場とを一緒に撮影することで工事状況を記録する手段が採用されている。
【０００４】
しかしながら、工事現場にあっては黒板の設置ができない所があったり、黒板の設置場所の制約等の条件によって遠く離れた位置によって黒板の字が読みずらくなる等の問題があった。このような問題を解消する一手段として、例えば、工事現場用状況撮影カメラホルダーが提案されている（特許文献１参照）。
【０００５】
工事現場用状況撮影カメラホルダーは、市販のカメラに取付けて使用することが可能となっている。
【０００６】
工事現場用状況撮影カメラホルダーの概要は、市販のカメラに取付けるためのＬ型カメラ取付け金具と各種仕様情報が記載された紙片がセット保持される名板ホルダースライド金具と前記Ｌ型カメラ取付け金具及び名板ホルダースライド金具とをつなぐ伸縮可能なスライドアームとで構成されている。スライドアームは先端が重くなることと長くなるスパンとによって手持ちハンドルを持つことで下からの支持が可能となっている。
【先行技術文献】
【特許文献】
【０００７】
【特許文献１】特開２００５−７８０６３号公報
【発明の概要】
【発明が解決しようとする課題】
【０００８】
工事現場用状況撮影カメラホルダーは、カメラに取付けて使用するところから片手でカメラを持ち、もう片方の手で手持ちハンドルを持って撮影するようになるが、この時、撮影用現場の現場写真は邪魔にならない写真下隅に工事状況の情報が写るよう位置調整を行なう必要がある。特に、現場写真は１現場３０項目以上にわたるため撮影回数も多く、位置調整作業が頻繁になると作業性の面で望ましくない。
【０００９】
また、カメラに取付けて使用する固定タイプとなるため、工事状況の情報は、例えば、画面に影響のない写真の下左隅に特定されてしまう問題をかかえる。このために、写真の下左隅が重要な要素の場所では使用できなくなる等の問題をかかえる。
【００１０】
そこで、本発明にあっては工事状況の情報位置が現場写真の一箇所に特定されることなく、いずれの位置でも、迅速、容易に対応ができるようにすると共に、撮影現場の照明が同時に得られるようにした工事現場撮影用看板を提供することを目的とする。
【課題を解決するための手段】
【００１１】
前記目的を達成するために、本発明にあっては、内部に電源となる乾電池が出し入れ自在に収納された上下に長い収納部本体と、
前記収納部本体の上部に設けられ前方を照らす光源部を有するヘッド部と、
前記ヘッド部の後側に装着支持されたボードと、
前記ボードに取付けられ各種工事仕様情報が記載された現場撮影記録表とを備えていることを特徴とする。
【００１２】
本発明を実施するにあたって、第１に前記ヘッド部を、ボードを背にして前方及び後方を照らす左右対称の配置構造とすることで、予備の照明光源を確保し、前，後いずれでも使用できるようにすることが望ましい。
【００１３】
第２に前記ボードを、表面となる第１のボード面と裏面となる第２のボード面とすることで、現場撮影記録表を表だけでなく、裏にもセットしてボードの裏，表で使用できるようにすることが望ましい。
【００１４】
第３に前記ボードを、ヘッド部に対して着脱自在に支持することで、ボードを取外した時に持ち運びに便利に使用できるようにすることが望ましい。
【００１５】
第４に前記ヘッド部を、前方を照らす光源部の外に前記現場撮影記録表を照らす記録表光源部を有するようにすることで、薄暗い夕ぐれにかかってもファインダーから現場撮影記録表が確実に見えるようにすることが望ましい。
【発明の効果】
【００１６】
本発明によれば、例えば、カメラを片手で持ち、もう片方の手で工事現場撮影用看板の収納本体を持つことで工事現場の記録写真を撮ることができる。
【００１７】
この記録写真の撮影時、ファインダーを覗きながら片手で持った工事現場撮影用看板が撮影場所の例えば、下左隅、あるいは、下右隅に位置するよう移動しシャッタを押すことで、現場撮影記録表を撮影写真の邪魔にならない、例えば、下左隅の位置に写すことができる。
【００１８】
この場合、調整操作等の作業が不用となるため、迅速、容易に撮影を行なうことができる。
【００１９】
一方、周辺が薄暗くなってきた時にはヘッド部の光源部によって前方を照らすことで、対象物を視認確認しフラッシュと合わせて明確な記録写真を撮ることができる。
【図面の簡単な説明】
【００２０】
【図１】本発明にかかる工事現場撮影用看板の概要側面図。
【図２】使用状態を示した概要正面図。
【図３】ボードをヘッド部から取外した状態の説明図。
【図４】ボードと現場撮影記録表との取付け状態の関係を示した一部分の概要斜視図。
【発明を実施するための形態】
【００２１】
以下、図１乃至図４の図面を参照しながら本発明の実施形態について具体的に説明する。
【００２２】
図１は工事現場撮影用看板の概要側面図を示している。工事現場用看板１は、内部に電源となる乾電池３が出し入れ自在に収納された上下に長い収納部本体５と、前記収納部本体５の上部に設けられ前方を照らす光源部７を有するヘッド部９と、前記ヘッド部９の後側に装着支持されたボード１１と、前記ボード１１に取付けられ各種工事仕様情報が記載された現場撮影記録表１３とを備えている。
【００２３】
収納部本体５は、片手で握れる筒状に形成された内部には電源となる単一の乾電池３が２本収納されている。乾電池３は収納部本体５の底部に設けられたねじ式のキャップ１５を取り外すことで新しい乾電池との交換が可能となっている。
【００２４】
ヘッド部９は、中央のボード１１を背にして左右対称に配置された第１のヘッド部９ａと第２のヘッド部９ｂからなり、前方（図１，左側）、後方（図１，右側）いずれの向きでも使用可能となっている。
【００２５】
第１、第２のヘッド部９ａ，９ｂの頂上部には後述する現場撮影記録表１３を照らす記録表光源部１７が、内部には前方を照らす光源部７となる電球がそれぞれ設けられている。前方を照らす光源部７となる電球はコーン状の反射面１９によって遠くまで光が届くようになっている。
【００２６】
記録表光源部１７と前方を照らす光源部７は前記収納部本体５に設けられたスイッチ２１を操作することでオン、オフが可能となっている。
【００２７】
スイッチ２１は、この実施形態では、図２に示す如く例えば、スイッチ釦２３を中央のオフ位置から上方（矢印実線）へスライドさせることで第１のヘッド部９ａの光源部７と第２のヘッド部９ｂの頂上部に位置する記録表光源部１７が同時にオンとなる。
【００２８】
次に、上方から中央のオフ位置へ戻り、さらに、下方（矢印点線）へスライドさせることで第２のヘッド部９ｂの光源部７と第１のヘッド部９ａの頂上部に位置する記録表光源部１７がオンとなるスライドスイッチ構造となっている。
【００２９】
ボード１１は、矩形の板状に形成され図３に示すように第１のヘッド部９ａと第２のヘッド部９ｂとによって形成されたセット溝２５に対して上方から強制的に差し込むことで挿入セットが可能となっている。この場合、持ち運ぶ時にコンパクトになるよう上方へ向かって強く引張れば必要に応じて取り外すことが可能となる。
【００３０】
ボード１１の表面は第１のボード面１１ａ、裏面は第２のボード面１１ｂとなっていて裏側，表側での使用が可能となっている。
【００３１】
現場撮影記録表１３は、例えば図２に示す如く各種工事仕様情報が印刷されたもので、雨に濡れても大丈夫なようにラミネート加工によって表面処理されている。
【００３２】
現場撮影記録表１３は、１現場３０項目以上にわたるところから、予め項目手順に基づいて裏，表に印刷しておき、それらをリング２７によって一枚ずつめくれるようにとじ合わせた構造となっている。
【００３３】
リング２７は図４に示す如くボード１１の上部に例えばナット等の固定具２９を用いて固定支持する挿入ピン３１が挿入されることで支持され、図１仮想線で示すように一枚ずつめくることが可能となる。
【００３４】
このように構成された工事現場撮影用看板１によれば、片手にカメラを持ち、もう片方の手で前記工事現場撮影用看板１の収納部本体５を持って使用する。この時、カメラのファインダーを覗きながら現場写真の邪魔にならない、例えば下左隅あるいは下右隅に工事現場撮影用看板１を移動し、位置決めした後、シャッタを押すことで工事状況の情報が写った記録写真を撮ることができる。
【００３５】
この場合、記録写真は撮影項目順に沿って写していくようになるが、１項目の撮影が終わると図１に示す如く現場撮影記録表１３をめくって裏がえした後、今後は第２のヘッド部９ｂが前方を向くような収納本体５を１８０度回動し裏がえした現場撮影記録表１３がファインダー内に入るよう位置決めすることで、各項目順に沿って、迅速、容易に記録撮影が行える。
【００３６】
一方、周辺が暗くなった時には、ヘッド部９の光源部７及び頂上部の記録表光源部１７によって撮影現場及び撮影現場記録表１３を照らした状態で撮影が行なえるようになる。
【符号の説明】
【００３７】
１…工事現場撮影用看板
３…乾電池
５…収納部本体
７…光源部
９…ヘッド部
９ａ…第１のヘッド部
９ｂ…第２のヘッド部
１１…ボード
１１ａ…第１のボード面
１１ｂ…第２のボード面
１３…現場撮影記録表
１７…記録表光源部
２１…スイッチ
２３…スイッチ釦
【図１】
2010191052.tif 000003
【図２】
2010191052.tif 000004
【図３】
2010191052.tif 000005
【図４】
2010191052.tif 000006